(57)【特許請求の範囲】
【請求項１】
扉又は扉枠のいずれか一方の内側に固定したレバーベースに、扉の開閉をロックする施錠位置と扉の開閉を許す解錠位置との間を枢軸を中心として回転自在にロックレバーを連結し、扉の内側から該ロックレバーを施錠位置又は解錠位置に回転して施解錠する打掛錠において、
前記レバーベースと前記ロックレバーの間に、該ロックレバーが起立した解錠位置から施錠方向に自重により回転すると、その解錠位置から施錠方向に所定角度傾斜した一時停止位置において前記ロックレバーの回転を停止する回転制御手段を備え、
該回転制御手段は、
両側面が径方向内向きに次第に先細なテーパになった可動凸部を外輪部に弾性変位可能に突設し、前記ロックレバーに一体回転可能に装着するアウターリングと、両側面が径方向外向きに次第に先細なテーパになった固定凸部を外周縁に弾性変位可能に突設して前記可動凸部の回転軌道上に配置し、前記レバーベースに固定するインナープレートとを備え、
前記ロックレバーが前記解錠位置から施錠方向に自重により回転すると、前記一時停止位置において前記可動凸部の一側側面が前記固定凸部の一側側面に当接して前記ロックレバーの回転を停止する一方、該ロックレバーを、前記可動凸部と前記固定凸部の弾性力に抗して所定の大きさ以上の回転トルクで前記一時停止位置から施錠方向に押し回すと、前記可動凸部と前記固定凸部が互いに弾性変形して前記可動凸部が前記固定凸部の側面を摺動しながら乗り越えて前記アウターリングを一体に回転し、弾性変形した前記可動凸部と前記固定凸部の跳ね返る力で施錠方向へ弾き飛ばす構成としてなることを特徴とする、打掛錠。
【請求項２】
前記固定凸部は、前記インナープレートの外周縁において、前記解錠位置に前記ロックレバーが位置するとき、該ロックレバーの施錠方向側と解錠方向側の位置に突設してなることを特徴とする、請求項１に記載の打掛錠。
【発明の詳細な説明】
【技術分野】
【０００１】
本発明は、トイレ等に備える引戸、開き戸、折戸等の扉に使用し、特に扉の内側からロックレバーを施錠位置又は解錠位置に回転して扉を施解錠する打掛錠に関する。
【背景技術】
【０００２】
従来、トイレ等に備える扉、例えば引戸に使用する打掛錠は、通常、引戸の戸先側端部の内側にベース板を固定し、そのベース板にロックレバーを枢軸を中心として回転可能に連結する一方、扉枠側にロックレバーを係脱自在に掛け止めるレバー受けを固定し、使用時は、扉の内側からロックレバーを回転操作し、レバー受けに対し係脱させて引戸を施解錠している（特許文献１参照）。
【先行技術文献】
【特許文献】
【０００３】
【特許文献１】特開２００３−８２９０９号公報
【発明の概要】
【発明が解決しようとする課題】
【０００４】
ところが、上述したような従来の打掛錠では、扉をロックして外側から開かないように悪戯される余地があった。即ち、トイレの扉の外側から、ロックレバーを、鉛直な縦向きの解錠位置と水平な横向きの施錠位置との間で、解錠位置から施錠位置へロックレバーが自重により回転しようとする力とそのときに受ける摩擦抵抗等の回転抵抗とが釣り合った傾斜位置に、ロックレバーを停止させておいてから、扉を強く手荒に閉め、そのときの衝撃によってロックレバーを施錠位置に回転させて扉をロックする。すると、ロックレバーは、扉の外側から回転操作できないため、扉は閉まったままになり、結局、トイレを使用できなくなってしまうという課題があった。
【課題を解決するための手段】
【０００５】
そこで、請求項１に記載の発明は、たとえば以下に示す図示実施の形態のとおり、扉Ｄ又は扉枠Ｆのいずれか一方の内側に固定したレバーベース２０に、扉Ｄの開閉をロックする施錠位置と扉の開閉を許す解錠位置との間を枢軸１９を中心として回転自在にロックレバー１０を連結し、扉Ｄの内側から該ロックレバー１０を施錠位置又は解錠位置に回転して施解錠する打掛錠Ｒにおいて、前記レバーベース２０と前記ロックレバー２０の間に、該ロックレバー１０が起立した解錠位置から施錠方向に自重により回転すると、その解錠位置から施錠方向に所定角度α傾斜した一時停止位置において前記ロックレバー１０の回転を停止する回転制御手段３０を備え、該回転制御手段３０は、両側面が径方向内向きに次第に先細なテーパになった可動凸部３５を外輪部２６に弾性変位可能に突設し、前記ロックレバー１０に一体回転可能に装着するアウターリング４０と、両側面が径方向外向きに次第に先細なテーパになった固定凸部４５・５５を外周縁５０ｂに弾性変位可能に突設して前記可動凸部３５の回転軌道上に配置し、前記レバーベース２０に固定するインナープレート５０とを備え、前記ロックレバー１０が前記解錠位置から施錠方向に自重により回転すると、前記一時停止位置において前記可動凸部３５の一側側面が前記固定凸部４５・５５の一側側面に当接して前記ロックレバー１０の回転を停止する一方、該ロックレバー１０を、前記可動凸部３５と前記固定凸部４５・５５の弾性力に抗して所定の大きさ以上の回転トルクで前記一時停止位置から施錠方向に押し回すと、前記可動凸部３５と前記固定凸部４５・５５が互いに弾性変形して前記可動凸部３５が前記固定凸部４５・５５の側面を摺動しながら乗り越えて前記アウターリング４０を一体に回転し、弾性変形した前記可動凸部３５と前記固定凸部４５・５５の跳ね返る力で施錠方向へ弾き飛ばす構成としてなることを特徴とする。
【０００６】
請求項２に記載の発明は、請求項１に記載の打掛錠Ｒにおいて、たとえば以下に示す図示実施の形態のとおり、前記固定凸部４５・５５は、前記インナープレート５０の外周縁５０ｂにおいて、起立した解錠位置に前記ロックレバー１０が位置するとき、該ロックレバー１０の施錠方向側と解錠方向側のそれぞれの位置に突設してなることを特徴とする。
【発明の効果】
【０００７】
請求項１に記載の発明によれば、アウターリングの可動凸部の一側側面がインナープレートの固定凸部の一側側面に当接し、ロックレバーを、錠杆が鉛直に起立した解錠位置から施錠方向へ所定角度傾斜した一時停止位置に保持しているときは、少なくとも扉は解錠状態にあるから、扉枠に強く衝突するように閉めることができる。しかし、ロックレバーを一時停止位置に保持しているときには、可動凸部と固定凸部の弾性力に抗して所定の大きさ以上の回転トルクでロックレバーを施錠方向に押し回し、互いに弾性変位しながら可動凸部が固定凸部を乗り越えない限り、ロックレバーを施錠位置に回転させることができない。従って、ロックレバーを一時停止位置に傾けて位置させる一方、扉を扉枠に強く衝突するように閉めたとしても、そのときの衝撃によっては、ロックレバーが施錠位置側へ回転することはない。その結果、トイレが不使用状態にあるにも拘わらず、いたずら等により扉が閉位置でロックされ、トイレ等を使用できなくなるのを未然に防止することができる。
【０００８】
しかも、請求項１に記載の発明によれば、この施錠時、解錠位置にあるロックレバーをアウターリングの可動凸部とインナープレートの固定凸部の弾性力に抗して所定の大きさ以上の回転トルクで施錠方向に押し回すと、回転途中の一時停止位置で可動凸部の一側側面が固定凸部の一側側面に当接するが、そのとき、可動凸部と固定凸部とが押し合って弾性変形して可動凸部が固定凸部上を摺動しながら乗り越えてアウターリングを一体に回転させるため、弾性変形した可動凸部と固定凸部の跳ね返る力でアウターリングが施錠方向へ弾き飛ばされ、これによって、ロックレバーは、途中で停止することなく、常に施錠位置まで回転して確実に施錠することができる。
【０００９】
加えて、請求項１に記載の発明によれば、同じ施錠時、解錠位置にあるロックレバーをアウターリングの可動凸部とインナープレートの固定凸部の弾性力に抗して所定の大きさ以上の回転トルクで施錠方向に押し回すと、回転途中の一時停止位置で可動凸部の一側側面が固定凸部の一側側面に当接するとき、可動凸部が固定凸部に互いに弾性変位しながら当って緩衝し、耳障りな衝突音の発生を抑えることができる。
【００１０】
請求項２に記載の発明によれば、使用時、扉の仕様が、扉をそれに向って右側に作動して開く右勝手か反対の右側に作動して開く左勝手かに応じて、ロックレバーを回転する向きが変わるだけで、扉が右勝手か左勝手かに関係なく、同じ打掛錠を、そのまま兼用することができる。
【図面の簡単な説明】
【００１１】
【図１】本発明の一例である打掛錠のロックレバーの内部構造を、錠杆が鉛直に起立した解錠姿勢の状態において示す拡大横断面図である。
【図２】同打掛錠をロックレバーが一時停止位置に停止した状態において示す斜視図である。
【図３】同打掛錠をロックレバーが施錠位置に位置する施錠状態において示す斜視図である。
【図４】同打掛錠をロックレバーが施錠位置に位置する施錠状態において示す横断面図である。
【図５】同打掛錠の錠本体を示す分解斜視図である。
【図６】ロックレバーの内部構造を錠杆が鉛直に起立した解錠姿勢の状態において示す横断面図である。
【図７】ロックレバーをそれが一時停止位置に停止した状態において示す横断面図である。
【図８】同打掛錠をロックレバーが一時停止位置に停止した状態において示す正面図である。
【図９】ロックレバーをそれが施錠位置に位置する施錠状態において示す横断面図である。
【図１０】打掛錠をロックレバーが施錠位置に位置する施錠状態において示す正面図である。
【発明を実施するための形態】
【００１２】
以下、図面を参照しつつ、本発明の実施の形態について説明する。
【００１３】
本発明の打掛錠Ｒは、図２および図３に示すように、全体として、例えば右勝手仕様の引戸（図中右側に引いて開く引戸）からなる扉Ｄの戸先側端部に取り付ける錠本体Ａと、パネル状の扉枠Ｆに取り付けるレバー受けＢとからなる。錠本体Ａは、図４および図５に示すように、ロックレバー１０と、レバーベース２０と、回転制御手段３０と、表示器６０を備えてなる。
【００１４】
図示例のロックレバー１０は、錠杆１５と、錠杆１５を保持する錠ケース２５とからなる。錠杆１５は、丸棒状軸部１５ａの先端に笠状の掛け止め顎部１５ｂを設け、掛け止め顎部１５ｂと軸部１５ａ間に一段細い角棒状の係止首部１５ｃを設けてなる。
【００１５】
錠ケース２５は、一側を開口した円形のキャップ部２５ａと、キャップ部２５ａの他側に径方向に横断するように突設した摘み部２５ｂと、キャップ部２５ａの底面１３の回転中心から円形開口２１側に立設したジョイント１１とからなる。キャップ部２５ａは、外周面に摘み部２５ｂと平行に貫通する軸挿通穴１２を設ける一方、底面１３には、回転中心に錠杆１５の深さまで貫通した段付き取付穴１４を穿設すると共に取付穴１４から放射状に位置決め凹部１３ａを形成してなる。位置決め凹部１３ａは、後述するアウターリング４０のスポーク部２７の連結部分２７ｂ・２７ｃ・２７ｄに合わせて放射状にキャップ部２５ａの底面１３に凹設する。取付穴１４は、環状穴部１４ａとそれより一段細径な雌ねじ穴１４ｂを同軸上に設けてなる。ジョイント１１は、軸芯に矩形な異形穴１６のあいた段付き円筒状の連結突起１７とねじ軸１８を同軸上に設ける。連結突起１７は、大径なボス部１７ａとボス部１７ａより一段小径な軸保持部１７ｂからなる。そこで、ロックレバー１０は、錠ケース２５の軸挿通穴１２に軸部１５ａを貫挿して錠杆１５を摘み部２５ｂと平行に挿着する。一方、キャップ部２５ａには、ねじ軸１８を取付穴１４の雌ねじ穴１４ｂに螺着し、ボス部１７ａを環状穴部１４ａに嵌め込んで連結突起１７を立設してから、連結突起１７の異形穴１６に断面矩形の枢軸１９を差し込んで固定することによりジョイント１１を錠ケース２５の回転中心に突設し、以って、ロックレバー１０を組み立てる。
【００１６】
レバーベース２０は、外径を錠ケース２５の円形開口２１に合わせた円板で、中心にジョイント１１のボス部１７ａが嵌合可能な嵌合穴２２をあけたドーナツ形板状をなし、嵌合穴２２の内周縁に円周リブ２０ａを突設している。円周リブ２０ａが突出する側の片側板面には、嵌合穴２２の軸線を中心として点対称の位置に、それぞれ軸芯に雌ねじ穴２３ａを螺設した一対のスタッド２３を立設している。そして、レバーベース２０には、図１に示すスタッド２３間を結ぶ水平な対角線ｘに直交する鉛直な対角線ｙで結ばれる点対称の位置に、図５に示すように一対の位置決め穴２４を設けてなる。
【００１７】
回転制御手段３０は、いずれも弾性を有する、例えば樹脂製のアウターリング４０とインナープレート５０を用いて構成する。アウターリング４０は、外輪部２６と、外輪部２６の内側に設ける一対のスポーク部２７とからなる。外輪部２６は、軸線を中心とした点対称の位置に一対の直線部２６ａをもった断面略リンゴ型の環状に形成し、直線部２６ａにそれぞれ径方向内向きに突出する可動凸部３５を設けてなる。可動凸部３５は、両側面３５ａ・３５ｂが径方向内向きに次第に先細なテーパになった山形に突設している。しかも、可動凸部３５は、両側面３５ａ・３５ｂを、頂点を中心に左右対称な傾斜面で形成する。スポーク部２７は、外輪部２６の中心周りにジョイント１１のボス部１７ａの外周形状に合わせて円弧状に形成する挟持部分２７ａと、挟持部分２７ａから径方向外向きに放射状に延びる連結部分２７ｂ・２７ｃ・２７ｄとからなり、そのうちの両端の連結部分２７ｂ・２７ｃの先をＬ形に延ばして外輪部２６の直線部２６ａの両隣りで連設し、これにより、直線部２６ａにある可動凸部３５を、外輪部２６の軸線を中心とした点対称の位置で弾性変位可能になっている。
【００１８】
インナープレート５０は、アウターリング４０の外輪部２６内に配置可能な大きさの円板で、中心にジョイント１１のボス部１７ａが嵌合可能な嵌合穴２８をあけた略ドーナツ形板状をなし、片側板面には、嵌合穴２８の軸線を中心とした点対称の位置に一対の円柱状の位置決め突起５０ａを突設する。また、外周縁５０ｂには、図１に示すように、位置決め突起５０ａ間を結ぶ鉛直な対角線ｙに対して図中反時計方向に所定角度α、例えば３０度傾斜した対角線ｍで結ばれる点対称の対角位置に、一対の固定凸部４５を径方向外向きに突設すると共に、反対の時計方向にも同じ所定角度α、例えば３０度傾斜した対角線ｎで結ばれる点対称の対角位置にも、一対の固定凸部５５を径方向外向きに突設してなる。こうしてインナープレート５０は、固定凸部４５・５５を、外周縁５０ｂにおいて、鉛直に起立した解錠位置にロックレバー１０が位置するとき、該ロックレバー１０、即ち、対角線ｙの施錠方向側と解錠方向側のそれぞれ対角線ｍ・ｎで結ばれる前記枢軸１９を中心とした点対称の位置に設けてなる。
【００１９】
インナープレート５０において、固定凸部４５・５５は、アウターリング４０の可動凸部３５に対応し、それぞれ両側面４５ａ・４５ｂ、５５ａ・５５ｂが径方向外向きに次第に先細るテーパになった山形に突設し、しかも、両側面４５ａ・４５ｂ、５５ａ・５５ｂを、頂点を中心に左右対称な傾斜面で形成している。このインナープレート５０には、位置決め突起５０ａと固定凸部４５・５５間にそれぞれ肉抜き穴２９を設けて固定凸部４５・５０を外周縁５０ｂに弾性変位可能に形成してなる。
【００２０】
そこで、回転制御手段３０において、アウターリング４０は、スポーク部２７の連結部分２７ｂ・２７ｃ・２７ｄを錠ケース２５の位置決め凹部１３ａに嵌め込み、挟持部分２７ａで連結突起１７のボス部１７ａを挟み付けてジョイント１１に装着し、錠ケース２５内に組み込む。そのとき、アウターリング４０は、スポーク部２７の連結部分２７ｂ・２７ｃ・２７ｄを位置決め凹部１３ａに嵌め合わせてジョイント１１に装着すると、可動凸部３５（図１参照）が錠杆１５と重なる位置で錠ケース２５内に組み込まれる。他方のインナープレート５０は、位置決め突起５０ａを、図４に示す位置決め穴２４に圧入してレバーベース２０に固定的に組み付ける。
【００２１】
表示器６０は、丸座３１と、表示板３２と、表示カバー３３を備える。丸座３１は、中心に嵌合穴３４の開いた円盤状をなし、嵌合穴３４の軸心を中心とした点対称の位置に、呼込みビス３６が挿通する挿通穴３７を穿設してなる。表示板３２は、円板状で、片面中心に枢軸１９と対応する角穴６９を軸芯に有する軸筒部３２ａを突設し、他面に略９０度開いた扇形の凹部３２ｂを設け、扉Ｄの施錠状態を示す扇形の赤色部分と、解錠状態を示す扇形の青色部分に色分けしている。表示カバー３３は、表示窓３８の開いた外周が円形のキャップからなる。
【００２２】
レバー受けＢは、図２、図３および図４に示すように、取付板６４と受け具６５とからなる。取付板６４は、金属製で、取付用にねじ挿通穴のあいた片側の取付板片４１と、他側の掛止め板片４２との２つに曲げてＬ形に成形し、掛止め板片４２に受け具６５を組み付ける縦長矩形の取付穴を設けてなる。受け具６５は、樹脂製で、外周に差込溝６５ａを有した細長な方形をなし、中央に係止穴７０を設けてなる。係止穴７０は、錠杆１５の係止首部１５ｃの軸径に合わせた穴幅の係止穴部７０ａと、係止穴部７０ａに向うに従い穴幅が次第に狭くなるテーパになったガイド穴部７０ｂとからなる。そして、レバー受けＢは、掛止め板片４２の取付穴の穴縁を差込溝６５ａに差し込むことにより取付板６４に受け具６５を組み付けて組み立てる。
【００２３】
そこで、打掛錠Ｒにおいて、錠本体Ａを、右勝手の扉Ｄの戸先側端部に取り付けるときは、先ず図４に示すように、扉Ｄの戸先側端部の内側板面ｄ１にレバーベース２０を配置する一方、反対側の外側板面ｄ２に表示器６０の丸座３１を配置し、呼込みビス３４を挿通穴３６に通してスタッド２３の雌ねじ穴２３ａにねじ込み、レバーベース２０と丸座３１を扉Ｄに固定する。すると、レバーベース２０は、一対のスタッド２３が扉Ｄを開閉する水平方向に横に並んだ位置、即ち、図１に示す対角線ｘ上に横に並んだ位置に固定される。従って、このレバーベース２０に固定したインナープレート５０は、固定凸部５５が位置決め突起５０ａ間を結ぶ鉛直な対角線ｙに対して図中反時計方向に所定角度α傾斜した対角線ｍで結ばれる点対称の位置に配置され、固定凸部５５が対角線ｙに対して図中時計方向に所定角度α傾斜した対角線ｎで結ばれる点対称の位置に配置された状態で固定される。
【００２４】
次いで、ロックレバー１０のジョイント１１を、順次、図４に示すように、インナープレート５０とレバーベース２０の嵌合穴２８・２２、樹脂カラー４９、アジャストナット５９の軸受穴に挿通し、錠ケース２５のキャップ部２５ａをレバーベース２０に冠着する一方、ジョイント１１のボス部１７ａを樹脂カラー４９を介して円周リブ２０ａに嵌合し、軸保持部１７ｂをアジャストナット５９に嵌着してロックレバー１０をレバーベース２０に組み付ける。すると、ロックレバー１０は、図１および図６に示すように、錠杆１５が起立した解錠姿勢の状態で、レバーベース２０に対して枢軸１９を支点として回転自在に組み付けられる。従って、ロックレバー１０に装着したアウターリング４０は、ロックレバー１０と一体に回転自在にレバーベース２０に支持され、可動凸部３５のある外輪部２６が、図４に示すようにインナープレート５０と同一平面上に重なってジョイント１１を中心とする同軸上に配置される。すると、回転制御手段３０では、図１および図６に示すように、錠杆１５が鉛直に起立した解錠姿勢の状態にロックレバー１０があるとき、アウターリング４０の可動凸部３５が周回する回転軌道上にインナープレート５０の固定凸部４５・５５が位置し、その固定凸部４５・５５の間に可動凸部３５が位置する。
【００２５】
そこで、回転制御手段３０は、ロックレバー１０を、錠杆１５が対角線ｙに沿って鉛直に起立した解錠位置から図中反時計の施錠方向に自重により回転すると、図７に示すように、対角線ｙに対して所定角度β、例えば２０度回転したところで、アウターリング４０の可動凸部３５の一側側面３５ａがインナープレート５０の固定凸部４５の一側側面４５ａに当接し、ロックレバー１０の回転を停止するようになっている（以下、このときのロックレバー１０の傾き位置を一時停止位置とする。）。
【００２６】
それから、図４に示すように、表示器６０の丸座３１には、嵌合穴３４に軸筒部３２ａを嵌め込んで表示板３２を冠着し、軸筒部３２ａの角穴６９に枢軸１９を嵌合し、ロックレバー１０を、扉Ｄを挟んで表示板３２と一体に回転可能に連結する。それから、表示器６０は、表示板３２に表示カバー３３を被せる。そして、表示板３２の回転に応じて、表示窓３８から、扉Ｄの施錠状態を示す赤色部分又は解錠状態を示す青色部分を臨ませて、トイレの使用状態を外部に表示するようになっている。
【００２７】
他方、レバー受けＢは、扉枠Ｆに取り付けるときは、ロックレバー１０の錠杆１５が水平な施錠姿勢のときに先端の係止首部１５ｃが係止穴７０の係止穴部７０ａに係止する高さ位置において、取付板片４１を扉枠Ｆの扉寄り端部の内側板面ｆにねじ止めする。
【００２８】
そこで、上述した構成の打掛錠Ｒの使用時、右勝手仕様の図示扉Ｄを閉めると、そのまま扉Ｄの内側から、摘み部２５ｂを摘んでロックレバー１０を、図１および図６に示すように反時計の施錠方向に回転させる。例えば、いま錠杆１５が起立姿勢の解錠位置にあるロックレバー１０を施錠方向に回転させると、図２、図７および図８に示すように、回転途中の一時停止位置で、アウターリング４０の可動凸部３５の一側側面３５ａがインナープレート５０の固定凸部４５の一側側面４５ａに、いったん当接するが、そのとき、可動凸部３５と固定凸部４５の弾性力に抗して所定の大きさ以上の回転トルクでロックレバー１０を押し回すと、可動凸部３５と固定凸部４５が互いに弾性変形して可動凸部３５が固定凸部４５上を摺動しながら乗り越えてアウターリング４０を一体に回転させる。従って、ロックレバー１０は、図３、図９および図１０に示すように、錠杆１５が水平な横向きの施錠位置に回転し、錠杆１５先端の係止首部１５ｃを、レバー受けＢの係止穴７０のガイド穴部７０ｂで案内して係止穴部７０ａに掛けて施錠する。このとき、ロックレバー１０は、錠杆１５の係止首部１５ｃが樹脂製受け具６５の係止穴７０の係止穴部７０ａに当てて緩衝し、耳障りな衝突音の発生を抑えることができる。
【００２９】
しかも、図示打掛錠Ｒでは、この施錠時、上述ように錠杆１５が起立姿勢の解錠位置にあるロックレバー１０を可動凸部３５と固定凸部４５の弾性力に抗して所定の大きさ以上の回転トルクで施錠方向に押し回すと、回転途中の一時停止位置でアウターリング４０の可動凸部３５の一側側面３５ａがインナープレート５０の固定凸部４５の一側側面４５ａに当接するが、そのとき、可動凸部３５と固定凸部４５が互いに弾性変形して可動凸部３５が固定凸部４５上を摺動しながら乗り越えてアウターリング４０が一体に回転するため、弾性変形した可動凸部３５と固定凸部４５の跳ね返る力でアウターリング４０が施錠方向へ弾き飛ばされ、これによって、ロックレバー１０を、途中で停止することなく、常に施錠位置まで確実に回転し、錠杆１５の係止首部１５ｃをレバー受けＢの係止穴７０の係止穴部７０ａに掛けて確実に施錠することができる。
【００３０】
加えて、図示打掛錠Ｒでは、この施錠時、上述ように錠杆１５が起立姿勢の解錠位置にあるロックレバー１０をアウターリング４０の可動凸部３５とインナープレート５０の固定凸部４５の弾性力に抗して所定の大きさ以上の回転トルクで施錠方向に押し回すと、回転途中の一時停止位置で可動凸部３５の一側側面３５ａが固定凸部４５の一側側面４５ａに当接するとき、可動凸部３５が固定凸部４５に互いに弾性変位しながら当って緩衝し、耳障りな衝突音の発生を抑えることができる。
【００３１】
一方、扉Ｄを開けるときは、図中時計の解錠方向にロックレバー１０を回転し、錠杆１５をレバー受けＢの係止穴７０から外して解錠する。ロックレバー１０を解錠方向に回転させると、今度は、回転途中の一時停止位置で、アウターリング４０の可動凸部３５の他側側面３５ｂがインナープレート５０の固定凸部４５の他側側面４５ｂに当接するが、そのとき、同じく可動凸部３５と固定凸部４５の弾性力に抗して所定の大きさ以上の回転トルクでロックレバー１０を押し回すと、可動凸部３５と固定凸部４５が互いに弾性変形して可動凸部３５が固定凸部４５上を摺動しながら乗り越えてアウターリング４０を一体に回転する。そして、ロックレバー１０を、アウターリング４０の可動凸部３５がインナープレート５０の固定凸部４５を乗り越えた位置で、少なくとも一時停止位置より図中時計の解錠方向に離れた解錠位置に回転させる。
【００３２】
ところで、図示打掛錠Ｒでは、図１、図２および図７に示すように、アウターリング４０の可動凸部３５の一側側面３５ａがインナープレート５０の固定凸部４５の一側側面４５ａに当接し、ロックレバー１０を、錠杆１５が鉛直に起立した解錠位置から施錠方向へ所定角度β傾斜した一時停止位置に保持しているときは、錠杆１５がレバー受けＢの係止穴７０から外れて解錠状態にあるから、扉Ｄを扉枠Ｆに強く衝突させるように閉めることができる。しかし、ロックレバー１０を一時停止位置に保持しているときには、可動凸部３５と固定凸部４５の弾性力に抗して所定の大きさ以上の回転トルクでロックレバー１０を施錠方向に押し回し、互いに弾性変位しながら可動凸部３５が固定凸部４５を乗り越えない限り、ロックレバー１０を施錠位置に回転させることができない。従って、ロックレバー１０を一時停止位置に位置させる一方、扉Ｄを扉枠Ｆに強く衝突するように閉めたとしても、そのときの衝撃によっては、ロックレバー１０が施錠位置側へ回転することはない。その結果、トイレが不使用状態にあるにも拘わらず、いたずら等により扉Ｄが閉位置でロックされ、トイレ等を使用できなくなるのを未然に防止することができる。
【００３３】
上述した図示実施の形態では、本発明の打掛錠Ｒを用いて右勝手仕様の引戸からなる扉Ｄを施解錠する例を示したが、本発明の打掛錠Ｒは、左勝手仕様（図中左側に引いて開く引戸）からなる扉も施解錠することもできる。
【００３４】
そこで、打掛錠Ｒでは、扉が、例えば引戸で左勝手仕様の場合、その左勝手仕様の扉の戸先側端部に錠本体Ａを取り付け、扉枠の扉側にレバー受けＢを取り付ける。そして、施錠時に使用するときは、扉を閉めてから、そのまま扉の内側から、ロックレバー１０を、例えば図１を参照すると、右勝手仕様の場合とは反対向きの施錠方向に回転させる。すると、回転途中の一時停止位置（対角線ｙに対して図中時計方向に所定角度β回転した傾き位置）で、アウターリング４０の可動凸部３５の他側側面３５ｂがインナープレート５０の固定凸部５５の一側側面５５ａに、いったん当接するが、そのとき、可動凸部３５と固定凸部５５の弾性力に抗して所定の大きさ以上の回転トルクでロックレバー１０を押し回すと、可動凸部３５と固定凸部４５が互いに弾性変形して可動凸部３５が固定凸部５５を摺動しながら乗り越えてアウターリング４０が一体に回転する。従って、ロックレバー１０は、錠杆１５が施錠位置に回転し、錠杆１５をレバー受けＢの係止穴７０に掛けて施錠する。
【００３５】
しかも、打掛錠Ｒでは、扉が左勝手仕様の場合でも、ロックレバー１０を一時停止位置に保持しているときには、アウターリング４０の可動凸部３５とインナープレート５０の固定凸部５５の弾性力に抗して所定の大きさ以上の回転トルクでロックレバー１０を施錠方向に押し回し、互いに弾性変位しながら可動凸部３５が固定凸部５５を摺動して乗り越えない限り、ロックレバー１０を施錠位置に回転させることができない。従って、ロックレバー１０を一時停止位置に位置させる一方、扉を扉枠に強く衝突するように閉めたとしても、そのときの衝撃によっては、ロックレバー１０が施錠位置側へ回転することはない。その結果、本発明の打掛錠Ｒでは、扉が左勝手仕様の場合であっても、トイレが不使用状態にあるにも拘わらず、いたずら等により扉が閉位置でロックされ、トイレ等を使用できなくなるのを未然に防止することができる。
【００３６】
このように打掛錠Ｒは、使用時、扉の仕様が、扉をそれに向って右側に作動して開く右勝手か反対の右側に作動して開く左勝手かに応じて、ロックレバーを回転する向きが変わるだけで、扉が右勝手か左勝手かに関係なく、同じ打掛錠を、そのまま兼用することができる。
【００３７】
なお、上述した図示実施の形態では、アウターリング４０において、可動凸部３５を外輪部２６の枢軸１９を中心とした点対称の位置に突設し、インナープレート５０において、固定凸部４５・５５を外周縁５０ｂの枢軸１９を中心とした点対称の位置に突設した例を示したが、本発明では、そのように可動凸部をアウターリングの外輪部において、固定凸部をインナープレートの外周縁において点対称の対角位置の双方に突設する場合に限らず、それぞれ片方の位置にのみに突設するようにしてもよい。
【００３８】
また、上述した実施の形態では、打掛錠Ｒの錠本体Ａを扉Ｄの戸先側端部に取り付け、レバー受けＢを扉枠Ｆの扉側端部に取り付けた例をしめしたが、本発明は、反対に打掛錠Ｒの錠本体Ａを扉枠Ｆの扉側端部に取り付け、レバー受けＢを扉Ｄの戸先側端部に取り付けて構成することもできる。
【００３９】
以上の実施の形態では、扉Ｄが引戸の例を示したが、本発明の打掛錠は、引戸に限らず、開き戸や折戸など、他の各種扉を内側から施解錠する場合にも使用することができる。
【符号の説明】
【００４０】
Ａ                錠本体
Ｂ                レバー受け
Ｄ                扉
Ｒ                打掛錠
α                固定凸部の配置角度
β                一時停止位置の角度
１０              ロックレバー
１５              錠杆
１９              枢軸
２０              レバーベース
２５              錠ケース
２６              外輪部
３０              回転制御手段
３５              可動凸部
３５ａ・３５ｂ    可動凸部の側面
４０              アウターリング
４５・５５        固定凸部
４５ａ・５５ａ    固定凸部の一側側面
４５ｂ・５５ｂ    固定凸部の他側側面
５０              インナープレート
【図１】
0005432947.tif 000002
【図２】
0005432947.tif 000003
【図３】
0005432947.tif 000004
【図４】
0005432947.tif 000005
【図５】
0005432947.tif 000006
【図６】
0005432947.tif 000007
【図７】
0005432947.tif 000008
【図８】
0005432947.tif 000009
【図９】
0005432947.tif 000010
【図１０】
0005432947.tif 000011